(57)【要約】【課題】外袋内における化粧水を、無駄なく効率的にフェイスパックシート本体に含浸させる。【解決手段】扁平状に折り畳んだドライ状のフェイスパックシート本体２の扁平面上に、化粧水４が入った内袋３を重ねる。これらフェイスパックシート本体２と内袋３とは、外袋１内に重なり状態を保持して密着状に密閉収納する。フェイスパックシート２や化粧水４には滅菌処理を施してある。化粧水４は、防腐剤や殺菌剤を一切含まないものであることが望ましい。【選択図】        図２
2004174135.tif 000002
【特許請求の範囲】
【請求項１】
ドライ状のフェイスパックシート本体２と、化粧水４が入った内袋３とが、外袋１の内部に密封収納されており、
外袋１越しに外部圧迫により内袋３を開封して内袋３内の化粧水４をフェイスパックシート本体２に含浸させるようにしたフェイスパックシートであって、
外袋１と内袋３とが、可撓性・非透水性を有するプラスチックフィルムを扁平状に製袋してなり、
扁平状に折り畳んだフェイスパックシート本体２の一方の扁平面上に内袋３を重ねた状態で、これらフェイスパックシート本体２と内袋３とが外袋１内に収納保持されていることを特徴とするフェイスパックシート。
【請求項２】
内袋３は、左右横長の２枚のプラスチックフィルムを対向させた状態で、これらフィルムの四周縁部どうしを互いに接合してなり、
内袋３の左右の少なくとも一方の接合部６ａのシール幅Ｗ１が、前後の接合部６ｂのシール幅Ｗ２よりも幅狭に設定されている請求項１記載のフェイスパックシート。
【請求項３】
内袋３は、左右横長の２枚のプラスチックフィルムを対向させた状態で、これらフィルムの四周縁部を互いに接合してなり、
内袋３の左右の少なくとも一方の接合部６ａには、少なくとも一箇所にシール幅の狭い易破断部９が設けられている請求項１記載のフェイスパックシート。
【請求項４】
内袋３を構成する複合プラスチックフィルムの最内層が、イージーピールフィルムである請求項１または２または３記載のフェイスパックシート。
【請求項５】
ファイスパックシート本体２および／または化粧水４が、滅菌処理が施されたものである請求項１ないし４のいずれかに記載のフェイスパックシート。
【発明の詳細な説明】
【０００１】
【発明の属する技術分野】
本発明は、フェイスパックシートに関する。
【０００２】
【従来の技術】
特許文献１の包装袋では内部を２室に区画し、第１室にドライ状のフェイスパックシートを収納し、第２室に化粧水を収納している。フェイスパックシートの使用に際しては、外部から圧迫して両室を仕切る剥離接着部を剥離させてから、第２室の化粧水をシート側の第１室に押し込み、該シートを湿潤状態としたのち、包装袋体の一端部を開封してシートを取り出している。
【０００３】
【特許文献１】
特開２００２−１２２７３号公報（図５）
【０００４】
【発明が解決しようとする課題】
特許文献１によれば、包装体の各室にフェイスパックシートと化粧水とが区分収納されているので、使用直前までフェイスパックシートを乾燥状態に保つことができる。従って、フェイスパックシートが長期にわたって湿潤状態となることに起因する雑菌の繁殖を効果的に防ぐことができ、パックシートの清潔性・安全性の向上を図れる。
【０００５】
但し、包装袋を圧迫して、剥離接着部を剥離させたうえで、その部分から化粧水をシート側の第１室に絞り込む形態を採るので、化粧水が第１室で広く隅々にまで展開しやすい。その結果、フェイスパックシートの湿潤に寄与しない無駄な化粧水が、包装袋内に多量に残留する不利がある。とくに剥離接着部は、その両端部から剥離しやすい。そうなると、第２室の化粧水は第１室の両端側から展開することになるため、湿潤に寄与しない無駄な化粧水が多量に残りやすい。
【０００６】
本発明の目的は、包装袋内における化粧水を無駄なく効率的にフェイスパックシート本体に含浸させることができ、従って化粧水を必要量を超えて多量に収納する必要がなく、商品コストの削減化に寄与し得るフェイスパックシートを提供することにある。本発明の目的は、化粧水が入った内袋の開封作業と、それに続く化粧水の絞り出し作業とが軽滑に行え、使い勝手に優れたフェイスパックシートを提供することにある。
【０００７】
本発明の目的は、フェイスパックシート本体を使用直前まで乾燥状態に保つことができ、従ってフェイスパックシート本体が長期にわたって湿潤状態となることに起因する雑菌の繁殖を効果的に防ぐことができ、清潔性・安全性に優れたフェイスパックシートを提供することにある。本発明の目的は、化粧水に対する防腐剤などの添加物の配合量も最小限に抑えることができ、その点でも安全性に優れたフェイスパックシートを提供することにある。
【０００８】
【課題を解決するための手段】
本発明のフェイスパックシートは、図１に示すごとく、ドライ状のフェイスパックシート本体２と、化粧水４が入った内袋３とが、外袋１の内部に密封収納されており、図４に示すごとく、外袋１越しに外部圧迫により内袋３を開封して内袋３内の化粧水４をフェイスパックシート本体２に含浸させるようにしてある。そして、外袋１と内袋３とが、可撓性・非透水性を有するプラスチックフィルムを扁平状に製袋してなり、図２に示すごとく、扁平状に折り畳んだフェイスパックシート本体２の一方の扁平面上に、内袋３を重ねた状態で、これらフェイスパックシート本体２と内袋３とが外袋１内に収納保持されていることを特徴とする。
【０００９】
具体的には、その内袋３は、左右横長の２枚のプラスチックフィルムを対向させた状態で、これらフィルムの四周縁部どうしを互いに接合してなる。フィルムの四周縁部どうしはヒートシールで接合できる。そして、図３に示すごとく、内袋３の左右の少なくとも一方の接合部６ａのシール幅Ｗ１は、前後の接合部６ｂのシール幅Ｗ２よりも幅狭に設定することが望まれる。
【００１０】
または、図５および図６に示すごとく、内袋３の左右の少なくとも一方の接合部６ａは、少なくとも一箇所にシール幅の狭い易破断部９を設けてもよい。この場合の易破断部９は、該当の接合部６ａの前後中央部位に設定できる。
【００１１】
または、内袋３を構成する複合プラスチックフィルムの最内層は、開封し易いようにイージーピールフィルムとすることが望ましい。
【００１２】
ファイスパックシート本体２および／または化粧水４は、滅菌処理が施されたものであることが望ましい。かかる滅菌処理の具体例としては、例えば約８５℃の温度条件下で、３０分〜２時間加熱滅菌処理することを挙げることができる。化粧水４に対する滅菌処理工程は、内袋４への充填の前後を問わない。化粧水４は、一切の防腐剤や殺菌剤を含まないものであることが望ましい。
【００１３】
【発明の作用効果】
本発明によれば、扁平状に折り畳んだフェイスパックシート本体２の扁平面上に、内袋３を重ねた状態で、これらシート本体２と内袋３とを外袋１内に密封状に収納保持する形態を採るので、外袋１を圧迫して内袋３から絞り出した化粧水４は、直下のシート本体２に瞬時に含浸される。従って、特許文献１に示す形態のごとく、化粧水４が外袋１内の隅々にまで広く展開して残留することがなく、外袋１内の化粧水４を無駄なく効率的にシート本体２に含浸させることができる。そのため、内袋３内には化粧水４を必要最小限の量だけ収納しておけば足り、全体の製作コストの削減化を図ることができる。特許文献１のように、フェイスパックシート本体がタブレット状に小さく折り畳まれていると、袋からシート本体を取出してからそれを展開させる作業が必要で使い勝手が悪い。その点、本発明のようにフェイスパックシート本体２を扁平状に折り畳んだ形態としてあると、該シート本体２を顔面形状に展開する作業が容易で使い勝手がよい。
【００１４】
化粧水４は内袋３内に封入されているので、使用直前までシート本体２を乾燥状態に保つことができる。従って、シート本体２が長期にわたって湿潤状態となることに起因する雑菌の繁殖を効果的に防ぐことができ、フェイスパックシートの清潔性・安全性の向上に寄与できる。化粧水４に対する防腐剤などの添加物の配合量を最小限に抑えることができるので、この点でもフェイスパックシートは安全性に優れたものとなる。防腐剤などの配合量を最小限に抑えながら、コラーゲン、ヒアルロンサン、蛋白質、黄卵等の腐敗し易い材料を多量に入れることができる利点もある。そのうえで、シート本体２および／または化粧水４に滅菌処理を施してあると（請求項５）、雑菌の繁殖を完全に抑えて、フェイスパックシートの安全性を完全なものとすることができる。
【００１５】
とくにシート本体２が不織布からなると、繊維の間に酸素を多量に抱き込む。そのため、湿潤状態で放置されると雑菌が繁殖し易く、化粧水に防腐剤を多量に配合することが必要となる。その点、本発明では、使用直前までシート本体２を乾燥状態に保つことができるので、防腐剤を配合することなく、雑菌の繁殖を効果的に防ぐことができ、フェイスパックシートの清潔性・安全性の向上に寄与できる。
【００１６】
内袋３の外周囲の接合部６のシール幅が全て同一幅寸法だと、押圧力を加えたときの開封箇所が予想し難く、開封作業をスムーズに進めることができない。その点、短辺となる左右の接合部６ａのシール幅Ｗ１が、長辺となる前後の接合部６ｂのシール幅Ｗ２よりも幅狭に設定されていると、短辺側の接合部６ａから先破れするため、開封箇所の予想が立てやすく、開封作業をスムーズに進めることができ、使い勝手が向上する。また、内袋３を構成する複合プラスチックフィルムの最内層が、イージーピールフィルムとしてあれば、この点においても開封作業を更にスムーズに進めることができる。
【００１７】
内袋３の短辺となる左右の少なくとも一方の接合部６ａに、シール幅の狭い易破断部９が設けられていると、外部圧迫を加えたときに、接合部６ａは易破断部９から剥離して先破れするため、開封作業をよりスムーズに進めることができる。
【００１８】
【発明の実施の形態】
図１ないし図３に本発明に係るフェイスパックシートを示しており、外袋１内にドライ状のフェイスパックシート本体２と、化粧水４が充填封入された内袋３とが収納されている。外袋１は、左右横長の２枚のプラスチックフィルムを対向状に重ね、両フィルムの四周縁部どうしを互いにヒートシールして接合することにより、四角扁平状の袋体としたものであり、外周の接合部５によってその内部が密封されている。なお、外袋１は、例えば正方形のフィルムを中央部で折り曲げ、互いに対向する三方周縁部を接合することによって形成することも可能であり、その製造法は任意である。
【００１９】
外袋１を構成するプラスチックフィルム材料には、可撓性と非透水性とが求められ、例えばポリプロピレン、ポリエチレン、ポリエチレンテレフタレートなどのフィルムを挙げることができる。ポリプロピレン、ポリエチレン、ポリエチレンテレフタレート等にアルミ箔フィルムを積層した複合フィルムであってもよく、真空蒸着フィルムであってもよい。
【００２０】
内袋３の製袋形態は外袋１と略同様である。すなわち内袋３は、左右横長の２枚の長方形状のプラスチックフィルムを対向させ、各フィルムの四周縁部を互いにヒートシールして接合することにより四角扁平状の袋体としたものであり、化粧水４が充填された状態で全周にわたって形成された接合部６によって、その内部を密封してある。内袋３の短辺となる左右の接合部６ａのシール幅Ｗ１は、長辺となる前後の接合部６ｂのシール幅Ｗ２よりも幅狭に設定してあり、外圧が加わったときに、短尺方向の接合部６ａから先破れするように設定してある。
【００２１】
内袋３の外形寸法は、外袋１の外形寸法よりも一回り小さく設定してある。なお、内袋３内に化粧水４を充填してから、ひとつの接合部（例えば６ａ）を閉じるときには、空気又は不活性ガスを注入して内袋３の全体がやや膨らむようにする。
【００２２】
内袋３を構成するプラスチックフィルム材料には、可撓性と非透水性とが求められ、例えばポリプロピレン、ポリエチレン、ポリエチレンテレフタレートなどのフィルムを挙げることができる。ポリプロピレン、ポリエチレン、ポリエチレンテレフタレート等にアルミ箔フィルムを積層した複合フィルムであってもよく、真空蒸着フィルムであってもよい。
【００２３】
とくに、内袋３を構成する複合プラスチックフィルムの少なくとも最内層が、イージーピール性を示すイージーピールフィルムで形成されていると、内袋３の開封作業が軽滑に行えることになる。イージーピールフィルムの種別は、凝集剥離タイプ、層間剥離タイプ、界面剥離タイプのいずれであってもよい。ここで凝集剥離タイプとは、シール層の凝集力（材料自体の強度）が、その隣接層との接着力に対してあまりに小さく、シール層自身が破壊されて剥離するものをいう。層間剥離タイプとは、シール層と隣接する複合層との間で剥離が起こるものをいう。界面剥離タイプとは、ヒートシール条件等を調整して、剥離強度を調整したものをいう。
【００２４】
内袋３内に充填される化粧水４としては、例えば、濃グリセリン０．５〜５％、ブチレングリコール０．５〜５％、プロピレングリコール０．５〜５％、コラーゲン０．０５〜１％、ヒアルロン酸ナトリウム、リン酸アルファＬ−アルコルビルマグネシウム０．０２〜２％、酢酸ｄｌ−α−トコフェロール海藻エキス０．１〜３．０％、各種植物エキス０．０２〜２％、グリチルリチン酸ジカリウム０．０５〜３．０％等が挙げることができる。ここでは、防腐剤や殺菌剤を含まないことと、皮脂に悪影響を与えるアルコールの添加量が、極めて少量であることに着目すべきである。更に、コラーゲン、ヒアルロンサン、蛋白質、黄卵等の、従来のフェイスパックシートでは腐敗し易く、また防腐剤で変質し易いために多量に入れることができなかった有効成分を多量に含むことができた点に着目すべきである。
【００２５】
フェイスパックシート本体２とは、親水性のシート材で、図５に示すごとく略顔面形状に形成されていて、化粧水４を含浸した湿潤状態で顔面に載せて使用されるものである。ここでは、図２に示すごとく扁平状に二つ折りされて、その扁平面上に内袋３を重ね合わせた状態で外袋１内にその重ね合わせ状態が保持されるよう収納される。より詳しくは、シート本体２は、内袋３よりも外形寸法が大きく設定されており、内袋３の全体が該シート本体２の上面に載る状態で外袋１内に大きくズレ動かないようほぼ密着状態で収納されている。
【００２６】
本実施例において、フェイスパックシート本体２は、滅菌処理を施したうえで、外袋１内に収納してある。かかるシート本体２の素材としては、コットン不織布やレーヨン不織布、コットンとポリエチレン、ポリプロピレン、ポリエチレンテレフタレート等の複合不織布、セルローズスポンジシート等を挙げることができる。
【００２７】
フェイスパックシートを使用する際には、まず内外の袋３・１の可撓性を利用して該内袋３を外側から押圧することにより、その内圧を増加させて内袋３を開封する。詳しくは、例えば図４に示すごとく、左右の一端側から外袋１ごと内袋３を丸めて行き、これで内袋３を外袋１越しに外側から圧迫して、内袋３の左右の他端側の接合部６を剥離させる。これで内袋３が開封され、内部の化粧水４が外袋１内に押し出される。外袋１内に給液された化粧水４は、直下のフェイスパックシート本体２に含浸し、該シート本体２を湿潤状態とする。
【００２８】
さらに外袋１ごと内袋３を丸めて行くことにより、内袋３内の化粧水４を完全に搾り出すことができる。最後に、外袋１の端部をハサミ等により切り開いて、フェイスパックシート本体２を外袋１から取り出し、図５に示すごとく、顔面形状に展開して人体顔面に載せて使用することになる。
【００２９】
本実施例に係るファイスパックシートによれば、扁平状に折り畳まれたフェイスパックシート本体２の扁平面上に、内袋３を重ねた状態で、これらシート本体２と内袋３とを外袋１内にほぼ密着状に収納した形態を採るので、内袋３から絞り出された化粧水４は、直下のシート本体２に瞬時に含浸される。従って、従来の特許文献１に示す形態のごとく、化粧水４が外袋１内に大量に残留するような問題を生じ難く、化粧水４を無駄なく効率的にシート本体２に含浸させることができる。
【００３０】
防腐剤などの各種添加物の配合量を抑えることは、添加物アレルギーのある人や皮膚敏感症の人に特に有益である。また、化粧水に好適な、コラーゲン、ヒアルロンサン、たんぱく質などの腐敗し易い材料を多量に使用できることにもなる。天然漢方エキスの保湿剤などを多量に配合できる利点もある。防腐剤を溶解するために必要なアルコールの添加量も必要最小限に抑えることができる。化粧水４やシート本体２を滅菌処理してあると、腐敗劣化が少なく、この点でも清潔性・安全性の向上に寄与する。
【００３１】
図６は内袋３に関する本発明の別実施例を示す。この内袋３では、一方の短辺の接合部６ａの前後方向中央部位において、該接合部６ａの内縁側にシール幅が狭くて内広がりテーパー状の易破断部９を設けてある。これによれば、外部圧迫を加えたときに、右側の接合部６ａは易破断部９から剥離して先破れするため、開封作業をスムーズに進めることができる。
【００３２】
図７は図６の実施例を更に発展改良した別実施例を示す。この内袋３では、短辺となる左右の両接合部６ａ・６ａの前後方向中央部位に、シール幅の狭い易破断部９が設けられてある。これによっても、外部圧迫を加えたときに、接合部６ａは易破断部９から剥離して先破れするため、開封作業をスムーズに進めることができる。この易破断部９は、左右の一方の接合部６ａにのみ設けてあってもよいし、図６の例を含めて前後中央部位の前後に設けてあってもよい。
【図面の簡単な説明】
【図１】本発明のフェイスパックシートを示す平面図
【図２】図１のＡ−Ａ線断面図
【図３】内袋の平面図
【図４】内袋の開封作業を説明するための図
【図５】フェイスパックシート本体の顔面形状に展開した図
【図６】内袋の別実施形態を示す平面図
【図７】内袋の別実施形態を示す平面図
【符号の説明】
１  外袋
２  フェイスパックシート本体
３  内袋
４  化粧水
５  外袋の接合部
６  内袋の接合部
６ａ  内袋の左右の接合部
６ｂ  内袋の前後の接合部
９  易破断部
Ｗ１  内袋の左右の接合部のシール幅
Ｗ２  内袋の前後の接合部のシール幅
【図１】
2004174135.tif 000003
【図２】
2004174135.tif 000004
【図３】
2004174135.tif 000005
【図４】
2004174135.tif 000006
【図５】
2004174135.tif 000007
【図６】
2004174135.tif 000008
【図７】
2004174135.tif 000009